(57)【要約】【課題】外装カバーの取り付け凹部にエンブレムを嵌め込み、その外側からエンブレムを被覆するようにしてエンブレムカバーを嵌め込む構造を前提として、エンブレムへのごみの侵入、取り付け凹部の内周縁とエンブレムカバーの外周縁の衝突を抑えることができるエンブレム取り付け構造を提供する。【解決手段】外装カバー２の取り付け凹部２１にエンブレム４を嵌め込み、その外側からエンブレム４を被覆するようにしてエンブレムカバー３を嵌め込む構造のエンブレム取り付け構造において、取り付け凹部２１の奥側内周縁全域に渡って係止溝２２が形成され、取り付け凹部２１に圧入するようにして押し込まれた、可撓性部材で構成されているエンブレム４及びエンブレムカバー３の外周縁が係止溝２２に係止保持される。【選択図】図１
2007163807.tif 000002
【特許請求の範囲】
【請求項１】
外装カバーの取り付け凹部にエンブレムを嵌め込み、該エンブレムの外側からエンブレムを被覆するようにしてエンブレムカバーを嵌め込む構造のエンブレム取り付け構造において、取り付け凹部の奥側内周縁全域に渡って係止溝を備え、可撓性部材で構成されているエンブレム及びエンブレムカバーの外周縁が係止溝に係止保持されるように構成したことを特徴とするエンブレム取り付け構造。
【請求項２】
外装カバーの取り付け凹部にエンブレムを嵌め込み、該エンブレムの外側からエンブレムを被覆するようにしてエンブレムカバーを嵌め込む構造のエンブレム取り付け構造において、取り付け凹部の内周縁とエンブレムカバーの外周縁との間の隙間に弾性体が埋め込まれるように構成したことを特徴とするエンブレム取り付け構造。
【請求項３】
請求項２記載のエンブレム取り付け構造において、前記弾性体はシリコンゴムまたは樹脂製スポンジで構成されていることを特徴とするエンブレム取り付け構造。
【請求項４】
請求項１または２記載のエンブレム取り付け構造を有することを特徴とする画像形成装置。
【発明の詳細な説明】
【技術分野】
【０００１】
本発明は、機器の外装カバーにエンブレム(商品銘板)を取り付けるためのエンブレム取り付け構造に関する。
【背景技術】
【０００２】
従来、各種機器(例えば画像形成装置)の外装カバーにエンブレムを取り付けるエンブレム取り付け構造としては、エンブレムを外装カバーに接着することが多かった。
しかし接着によるエンブレムの貼り付け構造では、製品リサイクル時の分解性が悪いため、最近のエンブレム取り付け構造としては、機器の外装カバーの取り付け凹部にエンブレムを嵌め込み、その外側からエンブレムを被覆するようにしてエンブレムカバーを嵌め込む構造が採用されている。
図４は画像形成装置の正面図である。機器(画像形成装置)１の外装カバー２には、図５に示すエンブレム４を被覆するようにして、エンブレムカバー３が嵌め込まれている。図５はエンブレム取り付け構造部の分解斜視図である。外装カバー２の取り付け凹部２１にまず、エンブレム４が嵌合され、さらにその外側からエンブレム４を被覆するようにしてエンブレムカバー３が嵌合されている。
【発明の開示】
【発明が解決しようとする課題】
【０００３】
図６は取り付け凹部の内周縁とエンブレムカバーの外周縁の間に微小の隙間が生じている状態を示す斜視図である。図５に示すエンブレム取り付け構造においては、取り付け凹部２１の内周縁とエンブレムカバー３の外周縁の間に微小の隙間Ｄが生じ、その隙間Ｄからエンブレム４の内側にごみが侵入する不具合があった。また、機器の動作時の振動により、取り付け凹部２１の内周縁とエンブレムカバー３の外周縁が衝突して衝突音、摺動音が発生するという問題もあった。
本発明は、外装カバーの取り付け凹部にエンブレムを嵌め込み、その外側からエンブレムを被覆するようにしてエンブレムカバーを嵌め込む構造を前提として、エンブレムへのごみの侵入、取り付け凹部の内周縁とエンブレムカバーの外周縁の衝突、摺擦を抑えることができるエンブレム取り付け構造を提供することを目的とする。
【課題を解決するための手段】
【０００４】
上記目的を達成するために、請求項１記載の発明は、外装カバーの取り付け凹部にエンブレムを嵌め込み、その外側からエンブレムを被覆するようにしてエンブレムカバーを嵌め込む構造のエンブレム取り付け構造において、取り付け凹部の奥側内周縁全域に渡って係止溝が形成され、取り付け凹部に圧入するようにして押し込まれた、可撓性部材で構成されているエンブレム及びエンブレムカバーの外周縁が係止溝に係止保持されるエンブレム取り付け構造を最も主要な特徴とする。
請求項２記載の発明は、外装カバーの取り付け凹部にエンブレムを嵌め込み、その外側からエンブレムを被覆するようにしてエンブレムカバーを嵌め込む構造のエンブレム取り付け構造において、取り付け凹部の内周縁とエンブレムカバーの外周縁との間の隙間に弾性体が埋め込まれているエンブレム取り付け構造を最も主要な特徴とする。
請求項３記載の発明は、請求項２記載のエンブレム取り付け構造において、弾性体はシリコンゴムまたは樹脂製スポンジで構成されているエンブレム取り付け構造を主要な特徴とする。
請求項４記載の発明は、請求項１または２記載のエンブレム取り付け構造を有する画像形成装置を最も主要な特徴とする。
【発明の効果】
【０００５】
本発明は、外装カバーの取り付け凹部にエンブレムを嵌め込み、その外側からエンブレムを被覆するようにしてエンブレムカバーを嵌め込む構造のエンブレム取り付け構造において、取り付け凹部の奥側内周縁全域に渡って係止溝が形成され、取り付け凹部に圧入するようにして押し込まれた、可撓性部材で構成されているエンブレム及びエンブレムカバーの外周縁が係止溝に係止保持されることで、また、外装カバーの取り付け凹部にエンブレムを嵌め込み、その外側からエンブレムを被覆するようにしてエンブレムカバーを嵌め込む構造のエンブレム取り付け構造において、取り付け凹部の内周縁とエンブレムカバーの外周縁との間の隙間に弾性体が埋め込まれていることで、エンブレムへのごみの侵入、取り付け凹部の内周縁とエンブレムカバーの外周縁の衝突を抑えることができる。
【発明を実施するための最良の形態】
【０００６】
以下、本発明の実施形態を図面に従って説明する。
図１は本発明の第１の実施形態に係るエンブレム取り付け構造部の分解構成図、図２はその要部断面図である。外装カバー２には取り付け凹部２１が形成され、前述したように、取り付け凹部２１にまず、シート状のエンブレム４が嵌合され、さらにその外側からエンブレム４を被覆するようにしてエンブレムカバー３が嵌合されている。
ここで第１の実施形態では、図２に拡大して示すように、取り付け凹部２１の奥側内周縁全域に渡って係止溝２２を形成している。このエンブレム４及びエンブレムカバー３は可撓性部材で構成されており、取り付け凹部２１に圧入するようにして押し込まれると係止溝２２位置で広がり、エンブレム４及びエンブレムカバー３の外周縁が係止溝２２内に係止保持される。
このような構造になっているため、取り付け凹部２１の内周縁とエンブレムカバー３の外周縁との間に隙間が発生することがなくなる。
【０００７】
図３は本発明の第２の実施形態に係るエンブレム取り付け構造部の分解斜視図である。第２の実施形態は、エンブレムカバー３を外装カバー２の取り付け凹部２１に嵌合した際に生じる隙間に弾性部材５を埋め込むものである。弾性部材５としては、シリコンゴムや樹脂製スポンジが好適である。
このように、取り付け凹部２１の内周縁とエンブレムカバー３の外周縁との間の隙間に弾性体５を埋め込むことで、隙間を無くすことができる。また弾性体５の色を透明にしたり、外装カバー２と同色とすれば、その存在が目立たなくなり、外観上好ましいものとなる。
【図面の簡単な説明】
【０００８】
【図１】本発明の第１の実施形態に係るエンブレム取り付け構造部の分解構成図である。
【図２】図１の要部断面図である。
【図３】本発明の第２の実施形態に係るエンブレム取り付け構造部の分解斜視図である。
【図４】機器としての画像形成装置の正面図である。
【図５】エンブレム取り付け構造部の分解斜視図である。
【図６】取り付け凹部の内周縁とエンブレムカバーの外周縁の間に微小の隙間が生じている状態を示す斜視図である。
【符号の説明】
【０００９】
１  機器、２  外装カバー、２１  取り付け凹部、２２  係止溝、３  エンブレムカバー、４  エンブレム、５  弾性部材
【図１】
2007163807.tif 000003
【図２】
2007163807.tif 000004
【図３】
2007163807.tif 000005
【図４】
2007163807.tif 000006
【図５】
2007163807.tif 000007
【図６】
2007163807.tif 000008